(57)【要約】【課題】運用者側が金銭的な収入を得ることができるサーバを提供する。【解決手段】画像と、前記画像を撮影した撮影地とを記憶する記憶部と、前記記憶部に記憶された前記画像のうちで、評価が所定の値を超えた前記画像の撮影地に関連付ける関連情報の登録を受け付ける受付部と、前記受付部による前記関連情報の登録に対して課金を行う課金部と、を備える。【選択図】図２
2019135676.tif 000002
【特許請求の範囲】
【請求項１】
画像と、前記画像を撮影した撮影地とを記憶する記憶部と、
前記記憶部に記憶された前記画像のうちで、評価が所定の値を超えた前記画像の撮影地に関連付ける関連情報の登録を受け付ける受付部と、
前記受付部による前記関連情報の登録に対して課金を行う課金部と、
を備えるサーバ。
【請求項２】
請求項１に記載のサーバにおいて、
評価が所定の値を超えた前記画像の撮影地の情報と、前記画像の撮影地に関連づけられた前記関連情報とを送信する送信部を有するサーバ。
【請求項３】
画像と、前記画像を撮影した撮影地とを記憶する記憶部と、
前記画像を撮影した撮影地に関連付ける関連情報の登録を受け付ける受付部と、
前記画像の評価が所定の値を超えると、前記情報の登録を行ったユーザに課金する課金部と、
を有するサーバ。
【請求項４】
請求項３に記載のサーバにおいて、
前記画像の評価が所定の値を超えると、評価が所定の値を超えた前記画像の撮影地の情報と、前記画像の撮影地に関連づけられた前記関連情報とを送信する送信部を有するサーバ。
【請求項５】
請求項２または４に記載のサーバにおいて、
電子機器の位置の情報を受信する受信部を有し、
前記送信部は、評価値が所定の値を超えた前記画像の撮影地と前記電子機器の位置との距離が第１の距離であると、前記電子機器から第１の距離にある前記画像の撮影地に関連付けられた前記関連情報を前記電子機器に送信し、評価値が所定の値を超えた前記画像の撮影地と前記電子機器の位置との距離が第１の距離より大きい第２の距離であると、前記電子機器から第１の距離にある前記画像の撮影地に関連付けられた前記関連情報を前記電子機器に送信しないサーバ。
【請求項６】
請求項１から５のいずれか一項に記載のサーバにおいて、
前記記憶部に記憶された前記画像に対する評価を受け付ける評価受付部を有し、
前記記憶部は、前記評価部で受け付けた評価を記憶するサーバ。
【請求項７】
請求項１から５のいずれか一項に記載のサーバにおいて、
前記画像を撮影した撮影地に関連付けられた前記関連情報とは、前記画像を撮影した撮影地で開催されるイベント情報であるサーバ。
【請求項８】
第１ユーザにより登録され、イベントの情報及び前記イベントの開催場所の情報を有するイベント情報と、第２ユーザにより登録され、画像及び前記画像を撮影した撮影地の情報と、を記憶する記憶部と、
前記イベントの開催場所と前記撮影地との距離に基づいて、前記画像と前記イベント情報とを関連付ける制御部と、
前記イベント情報に関連付けられた画像の評価値が所定の値を超えると、前記第１ユーザに課金する課金部と、
を有するサーバ。
【発明の詳細な説明】
【技術分野】
【０００１】
本発明は、画像を評価するサーバに関するものである。
【背景技術】
【０００２】
従来、WEBサイトにアップロードされた画像の画像データを所定のキーワードと関連付けてサーバに登録するシステムが知られている（例えば、非特許文献１参照）。このWEBサイトによれば、例えば、「山」、「春」等のキーワードを入力することにより、「山」、「春」に関連する画像を検索することができる。
【先行技術文献】
【非特許文献】
【０００３】
【非特許文献１】http://www.nagano-tabi.net/modules/suteki/（長野県公式観光ウェブサイト  さわやか信州旅.net）
【発明の概要】
【発明が解決しようとする課題】
【０００４】
しかしながら、このWEBサイトにおいては、検索される画像の撮影地点に広告等を関連付けることは考慮されていないため、WEBサイトの運用者は金銭的な収入を得ることができなかった。
【０００５】
本発明の目的は、運用者側が金銭的な収入を得ることができるサーバを提供することである。
【課題を解決するための手段】
【０００６】
本発明のサーバは、画像と、前記画像を撮影した撮影地とを記憶する記憶部と、前記記憶部に記憶された前記画像のうちで、評価が所定の値を超えた前記画像の撮影地に関連付ける関連情報の登録を受け付ける受付部と、前記受付部による前記関連情報の登録に対して課金を行う課金部と、を備える。
【０００７】
また、本発明のサーバは、画像と、前記画像を撮影した撮影地とを記憶する記憶部と、前記画像を撮影した撮影地に関連付ける関連情報の登録を受け付ける受付部と、前記画像の評価が所定の値を超えると、前記情報の登録を行ったユーザに課金する課金部と、を有する。
【０００８】
また、本発明のサーバは、第１ユーザにより登録され、イベントの情報及び前記イベントの開催場所の情報を有するイベント情報と、第２ユーザにより登録され、画像及び前記画像を撮影した撮影地の情報と、を記憶する記憶部と、前記イベントの開催場所と前記撮影地との距離に基づいて、前記画像と前記イベント情報とを関連付ける制御部と、前記イベント情報に関連付けられた画像の評価値が所定の値を超えると、前記第１ユーザに課金する課金部と、を有する。
【発明の効果】
【０００９】
本発明によれば、サーバの運用者側が金銭的な収入を得ることができる。
【図面の簡単な説明】
【００１０】
【図１】第１の実施の形態に係る画像評価システムの構成を示すブロック図である。
【図２】第１の実施の形態に係る画像評価サーバの構成を示すブロック図である。
【図３】第１の実施の形態に係る端末の構成を示すブロック図である。
【図４】第１の実施の形態に係る画像評価システムを用いて撮影名所にイベント情報を関連付ける処理を示すフローチャートである。
【図５】第１の実施の形態に係る端末がイベント情報が関連付けられた撮影名所に近づいた場合の処理を示すフローチャートである。
【図６】第１の実施の形態に係る端末がイベント情報が関連付けられた撮影名所に近づいた場合における端末と撮影名所の位置関係を示す図である。
【図７】第２の実施の形態に係る画像評価システムにおけるイベント開催予定地を示す図である。
【図８】第２の実施の形態に係る画像評価システムを用いて撮影名所として登録されていない撮影地点にイベント情報を関連付ける場合の処理を示すフローチャートである。
【図９】第３の実施の形態に係る画像評価システムにおけるイベント開催予定地を示す図である。
【図１０】第３の実施の形態に係る画像評価サイトに画像がアップロードされた場合に、画像データに付加されている位置情報にイベント情報を関連付ける処理を示すフローチャートである。
【発明を実施するための形態】
【００１１】
以下、図面を参照して本発明の実施の形態に係る画像評価システムについて説明する。図１は、第１の実施の形態に係る画像評価システム２の構成を示すブロック図である。画像評価システム２は、画像の評価処理を行う画像評価サーバ４を備え、画像評価サーバ４はネットワーク６を介して種々の端末と通信可能となっている。
【００１２】
ここで、上記端末８には、デジタルカメラ、スマートフォン、タブレット端末、携帯電話のように画像を撮影することが可能な撮像装置のほか、画像データを保存可能なパソコンなどが含まれている。いずれの端末も、画像評価サーバ４に対して通信接続可能な通信装置を内蔵、または外部機器として装着している。
【００１３】
図２は、第１の実施の形態に係る画像評価サーバ４の構成を示すブロック図である。画像評価サーバ４は、画像を位置情報に対応付けて表示するとともに、通信可能な端末からの画像評価を受け付ける画像評価サイト（図示せず）を提供するサーバであり、画像評価サーバ４の各部を統括的に制御するＣＰＵ２０を備えている。
【００１４】
ＣＰＵ２０には、ネットワーク６を介して端末８との通信を行う通信部２２、画像評価サーバ４と通信可能な端末８のユーザ等によって予め登録された個人情報を記憶する個人情報記憶部２４、画像評価サーバ４に後述するイベント情報を登録したユーザに課金する課金情報等を記憶する課金情報記憶部２５、ネットワーク６を介して端末８からアップロードされた画像の画像データに撮影地点の位置情報を関連付けて記憶する画像記憶部２６、所定の評価値を超える評価がなされた画像の撮影地点の位置情報を撮影名所情報として記憶する撮影名所記憶部２８、及び地図データを記憶する地図データ記憶部２９が接続されている。
【００１５】
ここで、個人情報記憶部２４には、ユーザのアドレス（ＩＰアドレスやメールアドレス）、ＩＤ、パスワード、イベント情報（例えば、催し物等のイベント名、開催場所、開催期間、「このイベント限定で○○を販売します。」のような広告宣伝等）が記憶されている。なお、ここで説明するイベント情報とは、一般的に公開または伝達することにより情報提供者側が金銭的な見返りを期待し得る広告に関する情報を広く意味するものである。また、課金情報記憶部２５には、イベント情報の関連付けがなされた際に発生する登録料に関する情報、及び端末８のアドレスにイベント情報を送信する場合の送信料に関する情報等が記憶されている。
【００１６】
図３は、第１の実施の形態に係る画像評価サーバ４と通信可能な端末８の構成を示すブロック図である。この端末８は、ＣＰＵ３０を備え、ＣＰＵ３０には、ネットワーク６を介して画像評価サーバ４との間で通信を行う通信部３２、ＧＰＳ衛星から受信した信号に基づいて現在位置を測位するＧＰＳ３４、ＬＣＤ表示部３８、被写体光を撮像して撮像信号を生成する撮像素子４１、アドレス等の個人情報を予め記憶する個人情報記憶部４６、及び画像データを記憶するメモリカード５２を装着するメモリカードスロット５３が接続されている。
【００１７】
次に、図４に示すフローチャートを参照して、第１の実施の形態に係る画像評価システム２を用いて撮影名所にイベント情報を関連付ける処理について説明する。以下では、ＸＸイベントの開催を予定するイベント企画会社Ｘ（以下、Ｘ社という。）が、ＸＸイベントのイベント情報Ａ１を開催予定地である撮影名所ａ（図６参照）に関連付ける場合を例に説明する。なおフローチャートは、画像評価サーバ４のＣＰＵ２０を主体として記載されている。
【００１８】
まず、Ｘ社が、端末８のブラウザから画像評価サイトへアクセスすると、Ｘ社の端末８のＬＣＤ表示部３８に画像評価サイトの画面が表示される。ここで、画像評価サイトには、「撮影名所に関連付ける」のような、イベント情報等を位置情報に関連付けるためのボタン（図示せず）が表示されている。
【００１９】
次に、Ｘ社が「撮影名所に関連付ける」のボタンを操作すると、ＣＰＵ２０は、ＩＤ及びパスワードの入力を促す認証画面をＬＣＤ表示部３８に表示する。次に、ＩＤ及びパスワードが入力されると、ＣＰＵ２０は、撮影名所記憶部２８に記憶されている撮影名所の位置を表示した地図をＬＣＤ表示部３８に表示させる（ステップＳ１）。
【００２０】
次に、Ｘ社により地図上から撮影名所ａが選択されると、ＣＰＵ２０は、「この撮影名所に関連付ける情報を選択してください。」等のメッセージをＬＣＤ表示部３８に表示した後、ＩＤ及びパスワードに基づいて個人情報記憶部２４からＸ社のイベント情報を抽出し、Ｘ社のイベント情報の一覧を表示する（ステップＳ２）。なお、イベント情報は、必ずしも個人情報記憶部２４に記憶されていなくてもよく、関連付けを行う際にＸ社が端末８からアップロードするようにしてもよい。
【００２１】
次に、Ｘ社がイベント情報の一覧の中からイベント情報Ａ１を選択すると、端末８のＣＰＵ３０は、画像評価サーバ４に対して撮影名所ａにイベント情報Ａ１を関連付ける旨の指示信号を送信する。ＣＰＵ２０は、指示信号を受信すると、撮影名所ａの撮影名所情報に対してイベント情報Ａ１を関連付ける（ステップＳ３）。次に、ＣＰＵ２０は、課金情報記憶部２５に記憶されている情報を参照し、イベント情報Ａ１を撮影名所ａに関連付けたことによる登録料をＸ社に課金する（ステップＳ４）。
【００２２】
次に、図５及び図６を参照して、第１の実施の形態に係る端末８がイベント情報が関連付けられた撮影名所に近づいた場合の処理について説明する。図５は、本通知処理のフローチャートを示す図であり、図６は、本通知を行う場合における端末８と撮影名所の位置関係を示す図である。ここでは、図６に示す撮影名所ａ、撮影名所ｂ、及び撮影名所ｃがそれぞれ撮影名所記憶部２８に登録されている場合において、端末８（デジタルカメラ）に対して、端末８が撮影名所に近づいたこと、及び撮影名所に関連付けられているイベント情報を通知する場合を例に説明する。なお図５に示す端末には、図１で説明したのと同様に複数の端末が含まれている。
【００２３】
まず、撮影名所の情報、及びイベント情報の通知を希望するユーザは、所有する端末８からその位置情報を画像評価サーバ４に送信可能な状態に設定しておく。次に、端末８のＣＰＵ３０は、ＧＰＳ４４により現在位置の測位を行うことにより位置情報の取得を開始し、取得した位置情報をアドレスと共にネットワーク６を介して画像評価サーバ４に送信する（ステップＳ１１）。ここで、位置情報の取得、及び送信は一定時間間隔で行われる。
【００２４】
画像評価サーバ４のＣＰＵ２０は、ネットワーク６を介して位置情報、及びアドレスを受信すると（ステップＳ１２）、撮影名所記憶部２８から撮影名所情報を読み出し、撮影名所の位置と、受信した位置情報の位置との間の距離を算出する（ステップＳ１３）。例えば、受信した位置情報が場所Ｘの位置情報であった場合、ＣＰＵ２０は、場所Ｘと撮影名所ａ、撮影名所ｂ、撮影名所ｃとの間の距離をそれぞれ算出する。
【００２５】
次に、ＣＰＵ２０は、ステップＳ１３で算出した距離の中に所定の距離以下になったものがあるか否かの判定を行う（ステップＳ１４）。ステップＳ１２で算出した距離の中に所定の距離以下になったものがない場合（ステップＳ１４：Ｎｏ）、即ち、端末８が何れの撮影名所の位置にも近づいていない場合、ステップＳ１２の処理に戻る。一方、ステップＳ１３で算出した距離の中に所定の距離以下になったものがある場合（ステップＳ１４：Ｙｅｓ）、即ち、端末８が何れかの撮影名所の位置に近づいた場合、画像評価サーバ４のＣＰＵ２０は、端末８が撮影名所の位置に近づいたことを撮影名所に関連付けられているイベント情報と共に通知する（ステップＳ１５）。例えば、図６に示すように、端末８が撮影名所ａに近づいた場合、撮影名所ａの撮影名所情報、及びイベント情報Ａ１を端末８のアドレスに対して送信する。
【００２６】
端末８は、画像評価サーバ４からの通知を受信すると（ステップＳ１６）、「近くに撮影名所があります」といったメッセージをＬＣＤ表示部３８に表示した後、撮影名所ａの位置を示す地図、及びイベント情報Ａ１をＬＣＤ表示部３８に表示する（ステップＳ１７）。
【００２７】
次に、ＣＰＵ２０は、イベント情報Ａ１を送信した端末８の個数を検出する（ステップＳ１８）。次に、ＣＰＵ２０は、課金情報記憶部２５に記憶されている１回分の送信料に関する情報を参照し、イベント情報Ａ１を送信した端末８の個数分の送信料をＸ社に課金する（ステップＳ１９）。
【００２８】
この第１の実施の形態に係る画像評価システム２によれば、撮影名所にイベント情報が関連付けられた場合、及びイベント情報が端末８のアドレスに対して送信された場合にイベント企画会社に対して課金を行うため、画像評価サーバ４の管理者は、イベント企画会社から広告収入を得ることができる。なお、課金される対象は必ずしもイベント企画会社である必要はない。例えば、個人がイベント情報の関連付けを行い、イベント情報の関連付けを行った個人に対して課金がなされてもよい。
【００２９】
また、撮影名所にイベント情報を関連付けることにより、イベント企画会社は、画像評価サイトを通じて自社の宣伝を行うことができる。
【００３０】
また、端末８のユーザが撮影名所から所定の距離に近づいた時に、撮影名所の位置情報、及びイベント情報を端末８のアドレスに対して送信するため、端末８のユーザは、現在地が撮影名所に近く、撮影名所でイベントが開催されていることを知ることができる。
【００３１】
また、課金を行うことにより、思い付き等による安易な関連付けを排除することができ、有用なイベント情報のみを撮影名所に関連付けることができる。また、イベント情報の送信を行った端末８の個数に応じた課金を行うことにより、宣伝効果に比例した課金を行うことができる。
【００３２】
次に、第２の実施の形態に係る画像評価システムの処理について説明する。この第２の実施の形態に係る画像抽出システムは、第１の実施の形態において、画像評価サイトにアップロードされた画像の撮影地点が撮影名所情報として撮影名所記憶部２８に記憶（以下、名所登録という。）される前に、撮影地点にイベント情報を関連付けるようにしたものである。従って、第２の実施の形態では、第１の実施の形態と異なる処理について詳細に説明し、重複する部分については適宜説明を省略する。なお、以下では、図７に示すように、ＹＹイベントの開催を予定するイベント企画会社Ｙ（以下、Ｙ社という。）が、ＹＹイベントのイベント情報Ｂ１を開催予定地である撮影地点ｂに関連付ける場合を例に説明する。
【００３３】
図８は、撮影名所として登録されていない撮影地点にイベント情報を関連付ける場合の処理を示すフローチャートである。なおフローチャートは、画像評価サーバ４のＣＰＵ２０を主体として記載されている。
【００３４】
まず、Ｙ社が、端末８のブラウザから画像評価サイトへアクセスすると、Ｙ社の端末８のＬＣＤ表示部３８に画像評価サイトの画面が表示される。ここで、画像評価サイトには、「撮影地点に関連付ける」のような、イベント情報等を撮影地点の位置情報に関連付けるためのボタン（図示せず）が表示されている。
【００３５】
次に、Ｙ社が「撮影地点に関連付ける」のボタンを操作すると、ＣＰＵ２０は、ＩＤ及びパスワードの入力を促す認証画面をＬＣＤ表示部３８に表示する。次に、ＩＤ及びパスワードが入力されると、ＣＰＵ２０は、画像記憶部２６に記憶されている画像データに基づく画像の撮影地点を表示した地図をＬＣＤ表示部３８に表示させる（ステップＳ２１）。
【００３６】
次に、Ｙ社により地図上から撮影地点ｂが選択されると、ＣＰＵ２０は、「この撮影地点に関連付ける情報を選択してください。」等のメッセージをＬＣＤ表示部３８に表示した後、ＩＤ及びパスワードに基づいて個人情報記憶部２４からＹ社のイベント情報を抽出し、Ｙ社のイベント情報の一覧を表示する（ステップＳ２２）。
【００３７】
次に、Ｙ社がイベント情報の一覧の中からイベント情報Ｂ１を選択すると、端末８のＣＰＵ３０は、画像評価サーバ４に対して撮影地点ｂにイベント情報Ｂ１を関連付ける旨の指示信号を送信する。ＣＰＵ２０は、指示信号を受信すると、撮影地点ｂの位置情報に対してイベント情報Ｂ１を関連付ける（ステップＳ２３）次に、ＣＰＵ２０は、課金情報記憶部２５に記憶されている登録料をＹ社に課金する（ステップＳ２４）。
【００３８】
次に、複数の評価者によって撮影地点ｂで撮影された画像βに対する評価がなされ、画像βの評価点数が所定の点数を超えると、ＣＰＵ２０は、画像βの画像データに関連付けられている撮影地点ｂの位置情報を撮影名所情報として名所登録する（ステップＳ２５）。
【００３９】
次に、ＣＰＵ２０は、個人情報記憶部２４に登録されているアドレスに宛てて、新規に登録された撮影名所情報、及びイベント情報Ｂ１を通知する（ステップＳ２６）。具体的には、図１に示す、デジタルカメラ、スマートフォン、タブレット端末、携帯電話、パソコンそれぞれのアドレスに宛てて、「新規に登録されたお薦めの撮影スポットをお知らせします。」等のメッセージに撮影名所情報とイベント情報Ｂ１を添付した電子メールを送信する。
【００４０】
次に、ＣＰＵ２０は、イベント情報Ｂ１を送信した端末８の個数を検出する（ステップＳ２７）。次に、ＣＰＵ２０は、課金情報記憶部２５に記憶されている１回分の送信料に関する情報を参照し、イベント情報Ｂ１を送信した端末８の個数分の送信料をＹ社に課金する（ステップＳ２８）。
【００４１】
なお、撮影名所ｂに端末８が近づいた場合における、端末８に対する撮影名所及びイベント情報Ｂ１の通知処理については、第１の実施の形態と同様であるため説明を省略する。
【００４２】
この第２の実施の形態に係る画像評価システム２によれば、イベント情報が関連付けられた撮影地点が名所登録された場合に、撮影名所の位置情報とイベント情報を端末８のアドレスに対して送信するため、イベント企画会社は、画像評価サイトを通じてタイミングよく自社の宣伝を行うことができる。なお、第２の実施の形態において、撮影地点ｂの位置情報に対してイベント情報Ｂ１を関連付けた時点でなく、イベント情報Ｂ１が関連付けられた撮影地点ｂが名所登録された時点で、Ｙ社に登録料を課金してもよい。
【００４３】
次に、第３の実施の形態に係る画像評価システムの処理について説明する。この第３の実施の形態に係る画像抽出システムは、第２の実施の形態において、画像データと関連付けられていない撮影地点にイベント情報を関連付けるようにしたものである。従って、第３の実施の形態では、第２の実施の形態と異なる処理について詳細に説明し、重複する部分については適宜説明を省略する。なお、以下では、図９に示すように、ＺＺイベントの開催を予定するイベント企画会社Ｚ（以下、Ｚ社という。）が、ＺＺイベントのイベント情報Ｃ１を開催予定地である地点ｃ１に関連付ける場合を例に説明する。
【００４４】
図１０は、画像評価サイトに画像がアップロードされた場合に、画像データに付加されている位置情報にイベント情報を関連付ける処理を示すフローチャートである。なおフローチャートは、画像評価サーバ４のＣＰＵ２０を主体として記載されている。まず、Ｚ社は、イベント情報Ｃ１を開催する予定地である地点ｃ１をイベント情報Ｃ１と関連付けて個人情報記憶部２４に登録する（ステップＳ３１）。
【００４５】
次に、ＣＰＵ２０は、画像評価サイトに画像がアップロードされる度に、アップロードされた画像の撮影地点の位置と地点ｃ１の位置との照合を行う（ステップＳ３２）。
【００４６】
アップロードされた画像の撮影地点の位置と地点ｃ１の位置とが一致した場合、ＣＰＵ２０は、画像データに付加されている位置情報に対してイベント情報Ｃ１を関連付ける（ステップＳ３３）。例えば、アップロードされた画像の画像データに撮影地点ｃの位置情報が付加されている場合において、撮影地点ｃの位置と地点ｃ１の位置と一致する場合、撮影地点ｃの位置情報に対してイベント情報Ｃ１を関連付ける。イベント情報Ｃ１が位置情報と関連付けられた画像データは、画像記憶部２６に記憶される。
【００４７】
撮影地点ｃの位置情報に対してイベント情報Ｃ１が関連付けられると、ＣＰＵ２０は、課金情報記憶部２５に記憶されている情報を参照し、イベント情報の関連付けがなされた際に発生する登録料をＺ社に課金する（ステップＳ３４）。
【００４８】
なお、撮影地点ｃが撮影名所ｃとして名所登録された場合の処理、及び撮影名所ｃに端末８が近づいた場合における、端末８に対する撮影名所及びイベント情報Ｃ１の通知処理については、第２の実施の形態と同様であるため説明を省略する。
【００４９】
この第３の実施の形態に係る画像評価システム２によれば、画像がアップロードされていない場合においても、位置情報に直接イベント情報を関連付けることができる。また、位置情報に直接イベント情報を関連付けた時点では登録料が発生しないため、イベント企画会社は、気軽にイベント情報を登録することができる。また、イベント企画会社は、イベント情報を関連付けて登録した地点の画像が所定の期間内にアップロードされない場合にはＺＺイベントの開催を中止するなど、余裕をもってＺＺイベントを開催するか否かを判断することができる。なお、第３の実施の形態においては、地点ｃ１をイベント情報Ｃ１と関連付けて登録した時点で、Ｚ社に登録料を課金してもよい。
【００５０】
なお、上述の第１の実施の形態において、撮影名所の知名度に応じて登録料を増減させてもよい。例えば、画像評価サーバ４の管理者は、撮影名所記憶部２８に記憶されている撮影名所情報の中から、知名度が高いと思われる撮影名所の撮影名所情報を予め抽出し、知名度が高いことを示す情報を関連付けておく。そして、Ｘ社が、知名度が高い撮影名所にイベント情報を関連付けた場合には、課金情報記憶部２５に登録されている登録料を所定の割合増加させた金額をＸ社に課金する。また、評価点数の合計値に基づいて撮影名所をランク分類し、撮影名所のランクに応じて登録料を増減させてもよい。また、撮影名所の知名度は、ネットワーク６を介して外部のサイトを参照することにより判定してもよい。
【００５１】
また、上述の第１の実施の形態において、撮影名所ａで撮影された画像が画像評価サイトにアップロードされる毎にアップロードされた画像の枚数をカウントしておき、撮影名所ａで撮影された画像の枚数に応じて、撮影名所ａにイベント情報が関連付けられた場合にＸ社に課金する登録料を増減させてもよい。
【００５２】
また、上述の各実施の形態において、端末８のユーザがイベント情報の通知を受けるか否かを選択できるようにしてもよい。例えば、イベント情報の通知を希望しないユーザは、個人情報記憶部２４に登録されているアドレスにイベント情報の通知を希望しない旨の情報を関連付けておく。これにより、ユーザが希望しない情報が撮影名所情報と共に配信されることを防止することができる。また、宣伝効果の無いイベント情報の通知を防止することにより、イベント企画会社に対して必要以上の課金がなされないようにすることができる。
【００５３】
また、上述の各実施の形態において、イベント情報の通知を受けた端末８のユーザに対して所定の料金を課金するようにしてもよい。例えば、イベント企画会社は、撮影名所にイベント情報を関連付ける際に、イベント情報の通知を受けた端末８のユーザに課金する旨の指示情報を添付しておく。端末８がこの撮影名所に近づいた場合、ＣＰＵ２０は、まず端末８のアドレスに撮影名所情報のみを送信する。次に、指示情報を参照し、ＬＣＤ表示部３８に「撮影名所に関するイベント情報を見るには課金がなされます。」等のメッセージを表示した後、「見る／見ない」等の選択画面を表示する。端末８のユーザが「見る」を選択した場合、ユーザの端末８のアドレスにイベント情報を送信し、ユーザに対して課金を行う。これにより、イベントへの参加者数が制限される場合等において、イベント情報の送信数を絞り込むことができる。また、通知を受ける側が課金されるほど価値の高いイベント情報を他のイベント情報と区別することができる。
【００５４】
また、上述の第３の実施の形態においては、ＺＺイベントの開催予定地（地点ｃ１）にイベント情報Ｃ１を関連付けて登録しておく場合を例に説明しているが、ＺＺイベントの開催予定地の画像の画像データにイベント情報Ｃ１を関連付けるようにしてもよい。例えば、Ｚ社は、まず、ＺＺイベントの開催予定地（地点ｃ１）で画像γを撮影する。次に、Ｚ社は、画像γの画像データにイベント情報Ｃ１を関連付け、イベント情報Ｃ１が関連付けられた画像データを画像評価サイトにアップロードする。次に、画像γが公開されて閲覧可能な状態となり、画像データが画像記憶部２６に記憶されると、ＣＰＵ２０は、Ｚ社に対して所定の登録料を課金する。これにより、Ｚ社は、ＺＺイベントの開催予定地（ｃ１）がアップロードされた画像の撮影地点と一致するまで待つことなく、イベント情報を画像の撮影地点に関連付けることができる。
【００５５】
次に、複数の評価者によって画像γに対する評価がなされ、画像γの評価点数が所定の点数を超えると、ＣＰＵ２０は、画像γの撮影地点を撮影名所として名所登録する。ここで、画像γの撮影地点が名所登録された場合、ＣＰＵ２０は、既に課金した登録料の一部をＺ社に返金する。この場合、名所登録されるほど質の高い画像をアップロードした者に対して、登録料の一部返金という形の褒賞を与えることにより、ユーザの撮影意欲を増進させ、質の高い画像を募ることができる。
【００５６】
また、上述の各実施の形態においては、イベント情報を関連付けたことを根拠とする登録料と、ユーザの端末８のアドレスにイベント情報を送信したことを根拠とする送信料とをイベント企画会社に課金しているが、登録料及び送信料の何れか一方のみを課金するようにしてもよい。これにより、イベント企画会社に金銭的負担を軽減させることができる。
【００５７】
また、上述の第２、及び第３の実施の形態において、撮影地点が撮影名所となった時にイベント情報の通知料を課金した場合には、端末８が撮影名所に近づいた時に課金を行わなくてもよい。また、端末８が撮影名所に近づいた時にイベント情報の通知料を課金する場合には、撮影地点が撮影名所となった時にイベント情報の通知料を課金しなくてもよい。
【００５８】
また、上述の第２の実施の形態においては、イベント情報が関連付けられた撮影地点が名所登録された場合に、撮影名所情報とイベント情報を個人情報記憶部２４に登録されているアドレスに宛てて通知しているが、ユーザが希望する場合、名所登録がなされなくても撮影名所情報とイベント情報を通知してもよい。例えば、撮影地点にイベント情報が関連付けられた時点でユーザのアドレスに宛てて撮影名所情報とイベント情報を通知する。
【００５９】
また、上述の各実施の形態において、端末８が撮影名所に近づいたことを判断する基準となる情報をイベント情報に記録してもよい。例えば、イベント企画会社は、１００ｍを基準として端末８が撮影名所に近づいたか否かを判断することを予めイベント情報に記録しておく。この場合、ＣＰＵ２０は、端末８が撮影名所から１００ｍ以内の距離に近づいた時に、撮影名所情報及びイベント情報を端末８のアドレスに対して送信する。このため、イベント企画会社は、イベント情報を関連付ける撮影名所が混雑しそうな場所である場合には所定の距離を狭く設定し、イベント情報を関連付ける撮影名所が人通りの少なそうな場所である場合には所定の距離を広く設定するなど、撮影名所の実情に応じてイベント情報の通知範囲を任意に調整することができる。
【００６０】
また、端末８が撮影名所に近づいたことを通知する期間を、例えば、イベント開催期間などに限定してもよい。この場合、ＣＰＵ２０は、イベント開催期間に端末８が撮影名所に近づいた場合には、撮影名所情報とイベント情報を端末８のアドレスに対して送信する。一方、イベント開催期間外に端末８が撮影名所に近づいた場合には、端末８のアドレスに対する送信は行わない。
【００６１】
また、端末８が撮影名所に近づいた場合において、撮影名所に近づいた全ての端末８にイベント情報を送信しなくてもよい。例えば、ＣＰＵ２０は、送信対象となる端末８のアドレスの中から実際にイベント情報を送信するアドレスを無作為に抽出し、抽出したアドレスに宛ててのみイベント情報を送信する。これにより、イベント情報が関連付けられた撮影名所が人ごみの多い場所である場合には、撮影名所（イベント開催地）が混雑しないようにすることができる。
【００６２】
また、イベント情報を送信する対象年齢をイベント情報に記録してもよい。例えば、イベント企画会社は、対象年齢を２０歳以上とするイベント情報を個人情報記憶部２４に登録する。この場合、ＣＰＵ２０は、複数の端末８が撮影名所に近づいた時に、２０歳以上のユーザの端末８のアドレスに宛てて、イベント情報を送信する。なお、この場合ユーザは、個人情報記憶部２４に登録したアドレスに年齢を関連付けておく。
【００６３】
また、ＣＰＵ２０は、撮影名所情報とイベント情報を送信する際に地図データ記憶部２９に記憶されている地図データを参照してもよい。例えば、ＣＰＵ２０は、撮影名所にイベント情報が関連付けられた場合、その撮影名所に行くことが可能な交通網を地図データから認識する。そして、ＣＰＵ２０は、交通網上に位置する端末８のユーザのアドレスに宛てて撮影名所情報及びイベント情報を送信する。例えば、端末８が撮影名所に至る路線の駅に位置する場合、または端末８が撮影名所に至る路線上を撮影名所の方向に移動している場合には、端末８の現在地と撮影名所との間の距離が所定の距離以内に近づいていなくても、端末８のユーザのアドレスに宛てて撮影名所情報とイベント情報を送信する。
【符号の説明】
【００６４】
２…画像評価システム、４…画像評価サーバ、６…ネットワーク、８…端末、２０…ＣＰＵ、２２…通信部、２４…個人情報記憶部、２５…課金情報記憶部、２６…画像記憶部、２８…撮影名所記憶部、３０…ＣＰＵ、３２…通信部、３４…ＧＰＳ、３８…ＬＣＤ表示部
【図１】
2019135676.tif 000003
【図２】
2019135676.tif 000004
【図３】
2019135676.tif 000005
【図４】
2019135676.tif 000006
【図５】
2019135676.tif 000007
【図６】
2019135676.tif 000008
【図７】
2019135676.tif 000009
【図８】
2019135676.tif 000010
【図９】
2019135676.tif 000011
【図１０】
2019135676.tif 000012